(57)【特許請求の範囲】
【請求項１】
所定の発光手段からの光により照射される被照射部を備える遊技機において、
前記発光手段からの光を伝播可能な導光部材を備え、
前記被照射部は、
前記発光手段からの直接光により照射される第１領域と、
前記導光部材からの出射光により照射される第２領域と、を有し、
前記第１領域と前記第２領域の境界に対応する部分に、前記導光部材の形状に沿って伝播するように光を誘導する光誘導手段を設け、
前記光誘導手段は、
前記導光部材内を伝播する光の一部が漏出可能な透光性を有する
ことを特徴とする遊技機。
【請求項２】
前記第２領域は、
所定音を出力可能な音出力手段の前方に配置される
ことを特徴とする請求項１に記載の遊技機。
【発明の詳細な説明】
【技術分野】
【０００１】
本発明は、所定の発光手段からの光により照射される被照射部を備える遊技機に関する。
【背景技術】
【０００２】
パチンコ機やスロットマシンなどの遊技機は、遊技に関連する演出を行う演出手段を備えており、演出手段としては、液晶表示器、電球・ＬＥＤ等の発光手段が内蔵されたランプ、及び７セグメント表示器などの表示手段と、音を鳴動するスピーカなどの音出力手段がある。
【先行技術文献】
【特許文献】
【０００３】
【特許文献１】特開２０１４−０８３３７１号公報
【発明の概要】
【発明が解決しようとする課題】
【０００４】
ところが、このような従来の遊技機には、改善の余地があった。
【課題を解決するための手段】
【０００５】
上記課題を解決するため、本発明の遊技機は、所定の発光手段からの光により照射される被照射部を備える遊技機において、前記発光手段からの光を伝播可能な導光部材を備え、前記被照射部は、前記発光手段からの直接光により照射される第１領域と、前記導光部材からの出射光により照射される第２領域と、を有し、前記第１領域と前記第２領域の境界に対応する部分に、前記導光部材の形状に沿って伝播するように光を誘導する光誘導手段を設け、前記光誘導手段は、前記導光部材内を伝播する光の一部が漏出可能な透光性を有する構成としてある。
【図面の簡単な説明】
【０００６】
【図１】遊技機の外観を示す概略正面図である。
【図２】遊技機の外観を示す概略斜視図である。
【図３】遊技機の内部構成を示す概略斜視図である。
【図４】遊技機の制御構成を示すブロック図である。
【図５】前扉のＡ−Ａ断面図（図１参照）である。
【図６】前扉を示す図であり、（ａ）は全体斜視図、（ｂ）は分解斜視図である。
【図７】前扉の裏面図である。
【図８】右側連結部材を示す図であり、（ａ）は正面図、（ｂ）は右側面図、（ｃ）は裏面図、（ｄ）は平面図、（ｅ）は斜視図である。
【図９】左側連結部材を示す図であり、（ａ）は正面図、（ｂ）は右側面図、（ｃ）は裏面図、（ｄ）は平面図、（ｅ）は斜視図である。
【図１０】右側連結部材の作用を説明するためのＢ−Ｂ断面図（図６（ａ）参照）である。
【図１１】左側連結部材の作用を説明するためのＣ−Ｃ断面図（図６（ａ）参照）である。
【図１２】受け皿を示す図であり、（ａ）は正面図、（ｂ）は右側面図、（ｃ）は平面図、（ｄ）は斜視図である。
【図１３】爪部とカバー部材の取り付け関係を示す斜視図である。
【図１４】カバー部材のスライド移動による作用を説明する図であり、（ａ）はスライド移動前の正面図（ｉ）及び断面図（ｉｉ）、（ｂ）はスライド移動後の正面図（ｉ）及び断面図（ｉｉ）である。
【図１５】センターランプユニットとサイドランプユニットの取り付け関係を示す斜視図である。
【図１６】センターランプユニットを示す図であり、被照射部材を外したときの正面図である。
【図１７】前方被照射部材を除く、センターランプユニットの分解斜視図である。
【図１８】導光部材を示す図であり、（ａ）は正面図、（ｂ）は右側面図、（ｃ）は平面図、（ｄ）は斜視図である。
【図１９】光誘導部材を示す図であり、（ａ）は正面図、（ｂ）は右側面図、（ｃ）は平面図、（ｄ）は斜視図である。
【図２０】センターランプユニットのＤ−Ｄ断面図（図１６（ｄ）参照）である。の分解斜視図である。
【図２１】サイドランプユニットを示す図であり、（ａ）は左側面図、（ｂ）は正面図、（ｃ）は右側面図、（ｄ）は平面図、（ｅ）は斜視図である。
【図２２】サイドランプユニットの分解斜視図である。
【図２３】サイドランプユニットのＥ−Ｅ断面図（図２１（ｂ）参照）である。
【発明を実施するための形態】
【０００７】
本発明に係る遊技機の好ましい実施形態について、図１〜図２３を参照して説明する。
【０００８】
スロットマシン１は、遊技機の一例であり、従来のスロットマシンと同様に、スロットマシン１に備えられた複数のリール４１ａ，４１ｂ，４１ｃを回転させることによって遊技媒体であるメダルを獲得することができる回胴式遊技機を構成している。
【０００９】
具体的には、スロットマシン１は、図１〜３に示すように、筐体１ｂと、筐体１ｂ前面側を覆う前扉１ａとから構成されている。
前扉１ａは、スロットマシン１の筐体１ｂにヒンジ等を介して開閉可能に取り付けられる扉体で、この前面側には、遊技者に操作される複数の操作部などが設けられている。
【００１０】
例えば、操作部として、機内にメダルを投入するためのメダル投入口２が設けられ、所定数（例えば、３枚）のメダルがメダル投入口２から投入されることで、メダル投入口２と連通するメダルセレクタ２ｂによってメダルが検出され、ゲーム開始可能な状態となる。
【００１１】
また、押下操作可能なベットボタン２ａ（例えば、マックスベットボタン）が設けられ、操作に応じて内部的に記憶したクレジットメダルからデータ形式のメダルをゲームに投入することもできる。
【００１２】
また、リール４１ａ，４１ｂ，４１ｃの回転を始動させるスタートレバー３が設けられ、ゲーム開始可能な状態において遊技者により操作されることで、スロットマシン遊技が開始され、リール４１ａ，４１ｂ，４１ｃが回転を開始する。
【００１３】
また、各リール４１に対応して停止ボタン５ａ，５ｂ，５ｃが設けられており、遊技者により各停止ボタン５が押下操作されることで、回転している各リール４１を停止させることができる。
【００１４】
また、前扉１ａには、操作部の他にも様々な装置が設けられ、例えば、停止状態にある各リール４１に表された縦方向に連続する３つの図柄が視認可能な表示窓６、メダルが払い出されるメダル払出口７ｂ、前扉１ｂを施錠するための錠前１３、メダルを載置可能な受け皿１５などが設けられている。
また、内蔵される発光手段（例えばＬＥＤ）の発光態様により所定の発光演出を行うセンターランプユニット８及びサイドランプユニット９が設けられている。
さらに、前扉１ａには、所定音を出力可能な音出力手段としてスピーカ１４が複数（例えば３個）設けられている。
【００１５】
一方、筐体１ｂは、筐体構造を有し、スロットマシン遊技に必要な様々な機械、装置などが収納されている。
【００１６】
例えば、リール４１ａ，４１ｂ，４１ｃ、各リール４１を回転させる図示しないステッピングモータ及び回転位置を検出するセンサなどを備えるドラムユニット４が設けられている。
また、メダルの貯留・払い出し行うメダル払出装置７が設けられ、払い出されたメダルはメダル払出口７ｂを介して遊技者に提供される。
また、メダル払出装置７には、メダルを貯留するホッパー７ａが設けられ、メダル投入口２より投入されたメダルがメダルセレクタ２ｂを介してホッパー７ａに誘導される。
【００１７】
また、筐体１ｂには、スタートレバー３、停止ボタン５などの操作部からの操作信号に基づいて、ドラムユニット４、メダル払出装置７などの各装置を制御することでスロットマシン遊技を実行可能な主制御部１０が設けられている（図３、４参照）。
主制御部１０は、ＣＰＵなどを備えるコンピュータとして構成され、例えば、ゲーム開始可能な状態において、スタートレバー３に対する操作を検知すると、各リール４１の回転を開始させる。
また、これと同時に、再遊技役、小役、ボーナスなどの当選役を抽選により決定する内部抽選処理を実行し、各リール４１の回転中において、各停止ボタン５に対する押下操作を検知すると、抽選結果に対応した図柄の組合せで停止するよう、回転している各リール４１の停止制御を行う。
また、主制御部１０は、停止した各リール４１に表された縦方向に連続する３つの図柄の組合せを判定し、小役に対応する図柄の組合せでの停止を判定したときには、所定数のメダルを払い出すようにメダル払出装置７を制御する。
【００１８】
また、筐体１ｂには、スロットマシン遊技に同期した演出を実行可能な副制御部２０が設けられている。
副制御部２０は、主制御部１０と同様にＣＰＵなどを備えるコンピュータとして構成され、主制御部１０から送信される制御コマンドに基づいてセンターランプユニット８、サイドランプユニット９、スピーカ１４などの演出用出力手段を制御して（図４参照）、スロットマシン遊技に同期した演出を行わせる。例えば、主制御部１０からボーナス遊技開始を示す制御コマンドを受信すると、センターランプユニット８及びサイドランプユニット９を制御して内蔵する発光手段を所定の態様で発光させる。
スロットマシン１は、このような一般的なスロットマシンが備える構成に加え、さらに以下に示すような特徴的な構成を備えている。
【００１９】
［保護カバー］
スロットマシン１は、機外から異物を挿入して筐体１ｂ内に侵入させる不正行為の対策として、侵入防止手段を備えている。
例えば、表示窓６の左右両端部から異物を挿入して筐体１ｂ内に侵入させる対策として、図３、図５（図１のＡ−Ａ断面）に示すように、保護カバー１６（１６ａ，１６ｂ）を備えている。
保護カバー１６ａ，１６ｂは、前扉１ａの裏面側において、表示窓６の左右両端側にそれぞれ配置されており、図５に示すように、壁部１６１ａ，１６１ｂと返し部１６２ａ，１６２ｂとをそれぞれ有する。
壁部１６１ａ，１６１ｂは異物の侵入を阻止する障壁として作用し、返し部１６２ａ，１６２ｂは侵入した異物を表示窓６側に戻す「返し」として作用する。これにより、表示窓６の左右両端部６１から保護カバー１６ａ，１６ｂを超えてさらに筐体１ｂ内部に異物を侵入させようとする不正行為からスロットマシン１を保護することができる。
【００２０】
［前扉分離構造］
また、スロットマシン１は、前扉１ａが上下方向に分離可能に構成されている。
例えば、前扉１ａは、図６に示すように、上側扉部１１と下側扉部１２とに分離することができる。
上側扉部１１は、当該スロットマシン１の属する機種（所定の機種名）のみに設けられる、例えば、センターランプユニット８及びサイドランプユニット９などの専用部材を備えている。
一方、下側扉部１２は、下パネル部１２３の一部に機種専用の絵柄シート（比較的安価な部品）を備えるものの、その他は複数の機種に共通して設けられる、例えば、メダル投入口２、ベットボタン２ａ、スタートレバー３、停止ボタン５などの操作部、その他の比較的高価な部品を備えている。
これにより、前扉１ａを製造するにあたり、下側扉部１２を共通部品として流用しつつ、上側扉部１１のみを違えることにより複数の機種に対応可能となり、前扉１ａのすべてを機種ごとに製造する必要がないことから、製造コストの上昇を抑えることができる。
【００２１】
［連結部材］
このように上下方向に分離可能に構成された前扉１ａは、図６に示すように、上側扉部１１の支柱部１１１において、上側扉部１１と下側扉部１２とが連結する。
支柱部１１１は、上側扉部１１の左右方向端部に配置されるとともに、上側扉部１１から下側扉部１２に向けて延設され、表示窓６の窓枠として機能する部分である。このような支柱部１１１は、上側扉部１１全体を支える部分であり、所定部材９１，１１２により補強されるものの、単に支柱部１１１をネジ等を介して下側扉部１２に固定するだけでは、前扉１ａ全体の強度が不足するおそれがある。
【００２２】
そこで、骨体として作用するように支柱部１１１及び下側扉部１２に係入されるとともに、上側扉部１１と下側扉部１２の間に架け渡される連結部材１７，１８を備えている。
連結部材１７，１８は、図８及び９に示すように、それぞれ形状の異なる右側連結部材１７と左側連結部材１８とを備えている。
【００２３】
各連結部材１７，１８は、支柱部１１１に係入固定される上側固定部１７１，１８１と、下側扉部１２に係入固定される下側固定部１７２，１８２を備え、また、支柱部１１１側に螺入されるネジの孔を有するネジ固定部１７１ａ，１８１ａと、下側扉部１２側に螺入されるネジの孔を有するネジ固定部１７２ａ，１８２ａとを備えている。
このような構成により、上側扉部１１と下側扉部１２を直接ネジ固定することに加え又は代えて、これらの連結部材１７，１８が、図７に示すように、前扉１ａの裏面側において、上側扉部１１と下側扉部１２の間に架け渡されるとともに、それぞれにネジ固定され、上側扉部１１と下側扉部１２とを強固に連結させる。また、連結部材１７，１８が、支柱部１１１の強度を補強する役割も果たす。
【００２４】
このような連結部材１７，１８は、単に上側扉部１１と下側扉部１２とを連結させる役割を担うだけでなく、機外から筐体１ｂ内への異物の侵入を防止する侵入防止手段を備えている。
前扉１ａには、例えば、錠前１３（シリンダ錠）とこの鍵穴を機外に臨ませる錠前用開口部との間に形成される隙間Ｓ１（図１参照）、天板２ｃと操作板２ｄとの間に形成される隙間Ｓ２（図２参照）などがあり、このような隙間から筐体１ｂ内に異物が侵入され、メダルを過剰に払い出させるなどの不正な操作が行われるおそれがある。
【００２５】
そこで、連結部材１７，１８は、このような錠前１３の周辺や、ベットボタン２ａ、スタートレバー３などの操作部の周辺に形成される隙間Ｓ１，Ｓ２から、筐体１ｂ内への異物の侵入を防止する侵入防止手段を備えている。
例えば、右側連結部材１７は、図８及び図１０（図６（ａ）のＢ−Ｂ断面）に示すように、円筒形の錠前１３周辺を囲む筒状部１７３を備えており、隙間Ｓ１からの異物の侵入範囲を筒内に制限する。また、筒状部１７３の後端部側は所定部品に当接され、所定部品を超える異物の侵入を阻止する。
また、左側連結部材１８は、図９及び図１１（図６（ａ）のＣ−Ｃ断面）に示すように、袋小路状の空間をなす囲い部１８３を備えており、隙間Ｓ２からの異物の侵入範囲を囲い部１８３内に制限する。また、囲い部１８３の後端部側は所定部品に当接され、所定部品を超える異物の侵入を阻止する。
このように、各連結部材１７，１８が上側扉部１１と下側扉部１２とを連結させる役割を担うだけでなく、機外から筐体１ｂ内への異物の侵入を防止する侵入防止手段を備えることで、部品の有効利用を図ることができる。
【００２６】
［カバー部材］
また、前扉１ａは、図６に示すように、メダルを載置可能な受け皿１５を備えている。
受け皿１５は前扉１ａの前面側に固定可能に構成され、図１２に示すように、固定手段として、ネジ穴１５１と、爪部１５２を複数備えている。
ネジ穴１５１は、前扉１ａの裏面側から螺入されるネジの穴であり、爪部１５２は、前扉１ａの裏面側に係止可能に鈎状に形成された係止手段である。
これらの固定手段に対応して、前扉１ａには、爪部１５２が挿入されて係止される係入孔１２１、ネジ穴１５１と挿通可能な挿通孔１２２が複数穿設されている（図６（ｂ）参照）。
【００２７】
このような構成により、受け皿１５は、爪部１５２を係入孔１２１に係止させるとともに、前扉１ａの裏面側からネジ穴１５１にネジを螺入させることで取り付けることができる。しかしながら、爪部１５２と係入孔１２１との間等には少なからず隙間が形成されることから、この隙間を介してスロットマシン前方から筐体１ｂ内に異物が挿入され、メダルを過剰に払い出させるなどの不正な操作が行われるおそれがある。
【００２８】
そこで、複数の爪部１５２及び係入孔１２１それぞれを前扉１ａの裏面側から覆うカバー部材１９を備えている。
カバー部材１９は、図７及び図１３に示すように、前扉１ｂ裏面左右両端部に位置する二つの爪部１５２及び係入孔１２１それぞれを覆うように前扉１ａの裏面側に取り付けられるカバー体である。
このカバー部材１９は、操作不能に爪部１５２を遮蔽するとともに係入孔１２１全体を遮蔽するものの、爪部１５２を外部に臨ませるための開口部１９１を有している。
【００２９】
また、カバー部材１９は、第１位置と第２位置の一方から他方に、他方から一方に相互にスライド移動可能に構成されている。
例えば、カバー部材１９は、前扉１ａの裏面側に取り付けられた状態においては、水平方向の移動が規制されるものの、鉛直方向には、前扉１ａの裏面に沿ってスライド移動可能に構成されている。
【００３０】
第１位置は、図１４（ａ）に示すように、カバー部材１９が自重によって最下部まで降下したときの位置であり、第２位置は、図１４（ｂ）に示すように、カバー部材１９が重力に抗して最上部まで上昇したときの位置である。
そして、カバー部材１９は、第１位置では爪部１５２を操作不能に遮蔽するとともに係入孔１２１全体を遮蔽し、第２位置では開口部１９１を介して爪部１５２を操作可能に外部に臨ませる。
このような構成により、第１位置では、爪部１５２と係入孔１２１の間の隙間からの異物の侵入がカバー部材１９により阻止されることになる。
一方、メンテナンス等の目的で受け皿１５を取り外すときには、カバー部材１９を重力に抗して第２位置まで持ち上げ、その状態を維持ししたまま、開口部１９１を介して爪部１５２にアクセスし、その係止状態を解除することにより簡単に取り外すことができる。
このように、カバー部材１９を備えることにより、前扉１ａの裏面側からの受け皿１５の取り外しを容易としながらも、前扉１ａの表面側からの異物の侵入を阻止することができる。
なお、カバー部材１９のスライド移動方向は鉛直方向に限らず水平方向でもよい。
【００３１】
［センターランプユニット］
また、スロットマシン１は、内蔵される発光手段（例えばＬＥＤ）の発光態様により所定の発光演出を行うセンターランプユニット８及びサイドランプユニット９を備えている。
図１５に示すように、センターランプユニット８及びサイドランプユニット９は、例えば、前扉１ｂの裏面側から螺入されるネジを介して前扉１ａの前面側に固定される。
【００３２】
センターランプユニット８は、アーチ状に発光する発光体であり、図１６、図１７に示すように、複数の部材から構成され、例えば、前方被照射部材８１、後方被照射部材８２、光誘導部材８３、導光部材８４、出射範囲区画部材８５、装飾部材８６、ＬＥＤ基板８７、スピーカ１４（図１における前扉１ａ左上のスピーカ）などを備えている。
なお、図１，２，１５に示すセンターランプユニット８と、図１６，１７に示すセンターランプユニット８は、外形がそれぞれ異なるものの、部品構成は同等なものとなっている。
また、図１７において、前方被照射部材８１は、特に図示しないが、後方被照射部材８２の前方に配置されているものとする。
【００３３】
前方被照射部材８１は、前面側に膨出した断面円弧状に形成され、後方被照射部材８２を覆う透明な樹脂製のカバー体である（図１５参照）。
また、スピーカ１４からの音を機外に出力するための挿通孔８１１が複数穿設されている（図１参照）。
後方被照射部材８２は、被照射部の一例であり、断面三角状の凹凸を有する表面８２ａと、平らな裏面８２ｂとを有し、半透明（例えば乳白色）な樹脂製のカバー体である。
これらの被照射部材８１，８２は、ＬＥＤ基板８７に備える複数のＬＥＤ８７２により照射されるとともに、自身の有する透光性により照射された光をスロットマシン前方に向けて出射する。
【００３４】
ＬＥＤ基板８７は、基板本体８７１、複数（例えば３０個）のＬＥＤ８７２（例えばフルカラーＬＥＤ）などを備え、所定のコネクタやケーブルを介して副制御部２０に接続されている。
複数のＬＥＤ８７２は、それぞれが発光手段の一例であり、被照射部材８１，８２のアーチ形状に沿って配置されるとともに、スロットマシン１前方側が光の出射方向となるように一の基板本体８７１に実装されている。また、各ＬＥＤ８７２はそれぞれ独立して点灯（点滅も含む、以下同じ）制御可能に構成され、例えば、左から右へ、右から左へ、上から下へ、下から上へというように光が流れるような態様で点灯制御される。また、各ＬＥＤ８７２の発光強度は同等となっている。
このようなＬＥＤ８７２から出射される出射光は、以下の構成により、後方被照射部材８２を均一に照射する。
【００３５】
ＬＥＤ基板８７の前方には、出射範囲区画部材８５が配置されている。
出射範囲区画部材８５は、光を反射可能な部材（例えば白色樹脂）から構成され、部材内を格子状に仕切るように、左右方向に延びる複数（例えば３つ）の横仕切り部８５１と、縦方向に延びる複数（例えば７つ）の縦仕切り部８５２とを備えている。
横仕切り部８５１はスロットマシン１前方側に向けて約３０ｍｍ突設されたリブとして形成され、縦仕切り部８５２はスロットマシン１前方側に向けて約２ｍｍ突設されたリブとして形成されている。
【００３６】
このような横仕切り部８５１と縦仕切り部８５２とで区画された複数の領域をそれぞれブロックＢといい、各ブロックＢはそれぞれスロットマシン１前方側が開口された開口部を備えるとともに、独立して制御可能なＬＥＤ８７２（本実施形態では、１つずつ）がそれぞれ配置されている。
ブロックＢは、図１６において、Ｂ（行、列）により表され、例えば、１行目はＢ１１〜Ｂ１７までの７つのブロック、２行目はＢ２１〜Ｂ２７までの７つのブロックというように、それぞれ区画されている。
また、右端部には、横仕切り部８５１により区画されないブロックＢ５１、Ｂ５２を有し、これらのブロックにもそれぞれ独立して制御可能なＬＥＤ８７２が配置されている。
【００３７】
また、ブロックＢ１１、Ｂ２１、Ｂ３１、Ｂ４１からなる１列目のブロックＢ１１〜Ｂ４１には、光誘導部材８３及び導光部材８４が設けられており、１列目のブロックＢ１１〜Ｂ４１からは、これらのブロックＢそれぞれに配置されたＬＥＤ８７２からの直接光ではなく、導光部材８４内を伝播して導光部材８４の出射面からの出射光が出射される。
一方、１列目のブロックＢ１１〜Ｂ４１以外のブロックＢ（２列目〜７列目、及びＢ５１、Ｂ５２）からは、それぞれのブロックＢに配置されたＬＥＤ８７２からの直接光が出射される。
【００３８】
このような出射範囲区画部材８５の構成により、各ブロックがそれぞれ独立して点灯、消灯、発光色を違えた発光等が可能な発光領域として動作する。特に、横仕切り部８５１によって複数の行を跨ぐ光の干渉が抑制され、例えば、一の行に対応するＬＥＤ８７２をすべて点灯させ、他の行に対応するＬＥＤ８７２をすべて消灯させたときには、くっきりと輝く一条の光のアーチを表現することができ、全行に対応するＬＥＤ８７２を行ごとにそれぞれ異なる発光色で点灯させたときには、それぞれ色彩の異なる四条の光のアーチを表現することができる。
【００３９】
導光部材８４は、１列目のブロックＢ１１〜Ｂ４１にそれぞれ配置された各ＬＥＤ８７２からの光を出射面から出射させる。
例えば、導光部材８４（８４ａ〜８４ｄ）は、図１８に示すように、Ｌ字状に形成された透明な樹脂（例えばアクリル）からなり、入射部８４１と、出射部８４２と、曲折部８４３とを備え、１列目のブロックＢ１１〜Ｂ４１それぞれに対応して複数設けられている。
【００４０】
入射部８４１は、ＬＥＤ９７２からの光が入射する入射面８４１ａと、側面８４１ｂと、側面８４１ｃとを有する。
出射部８４２は、導光部材８４１内を伝播した光が出射する出射面８４２ａと、これに対向する拡散面８４２ｂとを有しており、拡散面８４２ｂには、光の拡散を促進するための凹凸構造が形成されている。
曲折部８４３は、入射部８４１と出射部８４２の間に位置し、入射面８４１ａに対して約４５°傾く反射面８４３ａを有する。
また、導光部材８４１は、側面８４１ｂと側面８４１ｃの間と、出射面８４２ａと拡散面８４２ｂの間が入射部８４１から出射部８４２に向かうにつれて狭くなるように形成されている。
このような構成により、入射面８４１ａから入射した光は、以下のように、導光部材８４１内を伝播して出射面８４２ａから出射される。
【００４１】
まず、入射面８４１ａから入射した光は、入射部８４１内を反射面８４３ａに向けて直進する。反射面８４３ａに到達すると、一部の光は反射面８４３ａから出射されるものの、残りの光は反射面８４３ａによって反射され、出射部８４２に向かう。
出射部８４２に向かった光は、拡散面８４２ｂにより拡散され、一部の光が拡散面８４２ｂから出射されるものの、残りの光が出射面８４２ａから出射されることになる。
これにより、１列目のブロックＢ１１〜Ｂ４１からは、導光部材８４内を伝播して導光部材８４の出射面８４２ａからの出射光が出射されることになる。
【００４２】
さらに、ＬＥＤ８７２からの光の伝播効率を高めるために、導光部材８４の形状に沿って伝播するように光を誘導する光誘導手段を設けてある。
光誘導部材８３は、光誘導手段の一例であり、図１９に示すように、複数の導光部材８４ａ〜８４ｄにそれぞれ対応する複数の光誘導部８３１と、横仕切り部８５１に接続される接続部８３３とを備え、導光部材８４内を伝播する光の一部が漏出可能な透光性を有している。例えば、光誘導部材８３は、基材となる所定の樹脂と、白色の無機顔料と、紫色及び青色の染料と、所定の拡散剤とをそれぞれ所定の配合比率で混合して射出成形した成形品からなり、透光性と遮光性のバランスの取れた光学的特性を有している。
【００４３】
光誘導部８３１は、導光部材８４の形状に沿った内側面を有しており、例えば、内側面８３２ａは導光部材８４の側面８４１ｂに対向する面として、内側面８３２ｂは導光部材８４の反射面８４３ａに対向する面として、内側面８３２ｃは導光部材８４の反射面８４３ａに近接する出射面８４２ａの一部に対向する面として形成されている。
これにより、導光部材８４の側面８４１ｂ、反射面８４３ａ、及び出射面８４２ａの一部からそれぞれ外部に出射しようとする光が、内側面８３２ａ〜８３２ｃの各面により遮られることになり、ＬＥＤ８７２からの光の伝播効率を高められることになる。
一方で、光誘導部材８３の有する透光性により、例えば、反射面８４３ａやこれに近接する出射面８４２ａの一部から出射されるスロットマシン１前方に向けて直進する光などは、内側面８３２ｂ及び内側面８３２ｃを透過して出射されることになる（図２０参照）。
【００４４】
このような光誘導手段として機能する部材は、光誘導部材８３だけではなく、出射範囲区画部材８５も光誘導手段として機能する。
例えば、出射範囲区画部材８５は、図１７及び図２０（図１６（ｄ）のＤ−Ｄ断面）に示すように、複数の導光部材８４ａ〜８４ｄそれぞれが配置される配置部８５３ａ〜８５３ｄを備えている。各配置部８５３は、断面Ｌ字状に形成され、各導光部材８４の側面８４１ｃ及び拡散面８４２ｂそれぞれに対向する面を有する壁面からなる。
これにより、導光部材８４の側面８４１ｃ及び拡散面８４２ｂからそれぞれ外部に出射しようとする光が、配置部８５３の各面（２面）により遮られることになり、ＬＥＤ８７２からの光の伝播効率を高められることになる。
なお、配置部８５３は、光誘導部材８３とは異なり、透光性を有することなく、側面８４１ｃ及び拡散面８４２ｂからの光を反射する反射性を有することが好ましい。
【００４５】
以上のような構成により、センターランプユニット８は、図２０に示すように、後方被照射部材８２の裏面８２ｂにおいて、複数のＬＥＤ８７２のうち一部のＬＥＤ８７２ａ，８７２ｂからの直接光によりが照射される第１領域８２１ａと、光源をＬＥＤ８７２ｃとしながらも導光部材８４内を伝播して出射面８４２ａからの出射光により照射される第２領域８２１ｂとを有することになる。
また、ＬＥＤ８７２ａ，８７２ｂから第１領域８２１ａまでの光路長より、導光部材８４を介するＬＥＤ８７２ｃから第２領域８２１ｂまでの光路長の方が長いものの、出射面８４２ａを第２領域８２１ｂに接近させることにより、光の強度差によるムラの発生が抑制される。
また、透光性を有する光誘導部材８３が第１領域８２１ａと第２領域８２１ｂとの間に配置されていることから、導光部材８４の反射面８４３ａやこれに近接する出射面８４２ａの一部から出射されるスロットマシン１前方側に向けて直進する光の一部が光誘導部材８３から漏出して第３領域８２１ｃを照射することになる。この第３領域８２１ｃにより、第１領域８２１ａと第２領域８２１ｂの間に発生する光の不連続性を補うことができる。
【００４６】
さらに、第２領域８２１ｂの後方には、装飾部材８６、スピーカ１４が配置されている。
装飾部材８６は、スピーカ１４が固定されるとともに、出射範囲区画部材８５と一体的に結合される部材である。また、所定のメッキ加工（例えばクロームメッキ）が施されるとともに、スピーカ１４からの音を出力可能な開口部８６１を備えている（図１６参照）。
このような装飾部材８６に固定されるスピーカ１４の前方側は、図１６及び図２０に示すように、第２領域８２１ｂによりその一部が覆われている。
そして、１列目のブロックＢ１１〜Ｂ４１に断面Ｌ字状の導光部材８４ａ〜８４ｄを設けた理由は、このようなスピーカ１４の設置スペースを確保するためであり、その結果、音の出力範囲を確保しながらセンターランプユニット８全体の奥行を薄くすることができるのである（図１６（ｃ）参照）。
【００４７】
このように、センターランプユニット８は、ＬＥＤ８７２からの直接光により照射される第１領域８２１ａと、光源をＬＥＤ８７２としながらも導光部材８４内を伝播した出射面８４２ａからの出射光により照射される第２領域８２１ｂと、を有するものの、出射面８４２ａを第２領域８２１ｂに接近させたり、第１領域８２１ａと第２領域８２１ｂの間に光誘導部材８３からの漏出光により照射される第３領域８２１ｃを設けたりすることにより、被照射部材８１，８２が均一に照射されるので、センターランプユニット８が切れ目なく連続的に発光する一つの発光体として動作する。
また、導光部材８４により、ユニット内にスピーカ１４の設置スペースが確保されることから、センターランプユニット８全体の奥行を薄く形成しつつ、光の演出領域を拡大させながら音の出力領域を確保することができる。
【００４８】
［サイドランプユニット］
サイドランプユニット９は、照明ユニットの一例であり、スロットマシン右側方に配置され、当該ユニットを正面から見たときに（図２１（ｂ）参照）、左右方向それぞれに向けて光を出射可能に構成されている。
サイドランプユニット９は、複数の部材から構成され、例えば、図２１〜図２３に示すように、左側用透光性部材９１、左側用ＬＥＤ基板９２、左側用導光板９３、反射部材９４、基板収容ケース９５、右側用ＬＥＤ基板９６、右側用導光板９７、絵柄シート９８、右側用透光性部材９９、フレーム部材１００などを備えている。
なお、図２，１５に示すサイドランプユニット９と、図２１〜図２３に示すサイドランプユニット９は、外形がそれぞれ異なるものの、部品構成は同等なものとなっている。
【００４９】
左側用透光性部材９１は、断面Ｊ字状に形成され、左側用ＬＥＤ基板９２、左側用導光板９３を覆う有色透明な樹脂製のカバー体である。
左側面９１ａ内側には、光を拡散させるために、例えば、水平方向に延びる横線模様をなす凹凸構造（レンズカット）が形成されている。
前面９１ｂ内側には、光を拡散させるために、例えば、約φ２ミリの円形模様をなす凹凸構造（レンズカット）が形成されている。
【００５０】
左側用ＬＥＤ基板９２は、基板本体９２１、複数（例えば１１個）のＬＥＤ９２２（例えば単色ＬＥＤやフルカラーＬＥＤ）などを備え、所定のコネクタやケーブルを介して副制御部２０に接続されている。
複数のＬＥＤ９２２は、それぞれが発光手段の一例であり、スロットマシン前方側が光の出射方向となるように基板本体９２１に実装されている。また、各ＬＥＤ９２２はそれぞれ独立して点灯制御可能に構成され、例えば、上から下へ、下から上へというように光が流れるような態様で点灯制御される。
【００５１】
左側用導光板９３は、平板状に形成された透明な樹脂（例えばアクリル）からなり、ＬＥＤ９２２に対向する後端面９３ｃから入射した光を後端面９３ｃと直交する板面となる左側面９３ａ，右側面９３ｂから出射させる。
また、左側面９３ａには、各側面９３ａ，９３ｂからの出射を促進するために、前述の左側用透光性部材９１に形成された横線模様に直交する縦線模様をなす凹凸構造（レンズカット）が形成されている。
【００５２】
反射部材９４は、例えば、メッキ加工（例えばクロームメッキ）などの表面処理や白色樹脂で成形されるなどの優れた光反射特性を有するとともに、平板状に形成された部材である。
左側面９４ａは、スロットマシンの中央に向けて光を反射する反射面として機能し、右側面９４ｂは、スロットマシンの右方に向けて光を反射する反射面として機能する。
【００５３】
基板収容ケース９５は、右側用ＬＥＤ基板９６を収容可能な黒色樹脂製のケース体である。
【００５４】
右側用ＬＥＤ基板９６は、基板本体９６１、複数（例えば３０個）のＬＥＤ９６２（例えば単色ＬＥＤやフルカラーＬＥＤ）などを備え、所定のコネクタやケーブルを介して副制御部２０に接続されている。
複数のＬＥＤ９６２は、それぞれが発光手段の一例であり、スロットマシン前方側が光の出射方向となるように基板本体９６１に実装されている。また、各ＬＥＤ９６２は一斉に点灯や消灯するなどの同時点灯制御可能に構成されている。なお、各ＬＥＤ９６２はそれぞれ独立して点灯制御可能に構成することもでき、例えば、上から下へ、下から上へというように光が流れるような態様で点灯制御することもできる。
【００５５】
右側用導光板９７は、平板状に形成された透明な樹脂（例えばアクリル）からなり、ＬＥＤ９６２に対向する後端面９７ｃから入射した光を後端面９７ｃと直交する板面となる左側面９７ａ，右側面９７ｂから出射させる。
【００５６】
絵柄シート９８は所定の絵柄（例えばバニーガール）の表された有色透明な樹脂シートからなる。
右側用透光性部材９１は、平板状に形成され、絵柄シート９８を覆う無色透明な樹脂シートであり、絵柄シート９８に対向する左側面９９ａ、機外に露出される右側面９９ｂを有する。
フレーム部材１００は、右側用透光性部材９９の周縁を囲みながらも右側面９９ｂを機外に露出させるとともに、反射部材９４との間で、右側用透光性部材９９、絵柄シート９８、及び右側用導光板９７を挟持する有色透明な枠部材である。
【００５７】
このように複数の部材から構成されるサイドランプユニット９は、各部材それぞれが以下のように作用し、左右方向それぞれに向けて光を出射させる。
【００５８】
サイドランプユニット９は、例えば、図２３に示すように、左方向に向けて光を出射させるための光源として、左側用ＬＥＤ基板９２に実装されたＬＥＤ９２２を備えている。
このＬＥＤ９２２は、スロットマシン前方に向けて光を出射する。
ＬＥＤ９２２の発光面は、その一部が左側用導光板９３の後端面９３ｃと重なるとともに、発光面の他部が後端面９３ｃとは重ならずに左側用透光性部材９１の前面９１ｂを直接照射可能に配置されている。つまり、ＬＥＤ９２２の発光面は、後端面９３ｃによりすべて覆われることなく、後端面９３ｃから少し（右に）ずれた位置に配置してある。
【００５９】
このようにＬＥＤ９２２の発光面を左側用導光板９３の後端面９３ｃから少しずれた位置に配置したのは、以下の理由による。
後端面９３ｃがＬＥＤ９２２の発光面をすべて覆ってしまうと、左側用導光板９３の前端面９３ｄと、これに対向する左側用透光性部材９１の前面９１ｂの一部のみが発光し、左側用透光性部材９１の前面９１ｂ全体が発光するように見えず、見栄えが悪いことになる。
一方、図２３に示すように、後端面９３ｃがＬＥＤ９２２の発光面をすべて覆わずに一部が重なるように左側用導光板９３を配置すると、左側用導光板９３の前端面９３ｄと、これに対向する左側用透光性部材９１の前面９１ｂの一部が発光することはもちろんのこと、上記の左側用透光性部材９１の前面９１ｂを直接照射可能な光の作用により、左側用透光性部材９１の前面９１ｂ全体が発光するように見え、見栄えがよくなるからである。
【００６０】
そして、後端面９３ｃから入射した光は、左側用導光板９３内を伝播し、一部が前端面９３ｄから出射し、残りが左側面９３ａ，右側面９３ｂから出射する。
左側面９３ａから出射する光は、そのまま左側用透光性部材９１の左側面９１ａを透過し、スロットマシン中央に向けて出射される。
一方、右側面９３ｂから出射する光は、一旦、反射部材９４の左側面９４ａに反射し、左側用導光板９３及び左側用透光性部材９１の左側面９１ａを透過してから、スロットマシン中央に向けて出射される。
また、これらの出射光は、左側用透光性部材９１の左側面９１ａ内側と、左側用導光板９３の左側面９３ａとにそれぞれ形成された横線模様と縦線模様の凹凸構造により、縦横に均一に拡散された光となって、スロットマシン中央に向けて出射される。
【００６１】
このように、サイドランプユニット９は、スロットマシン前方側を出射方向とするＬＥＤ９２２からの光を後端面９３ｃに入射させ、後端面９３ｃと直交する板面である左側面９３ａ，右側面９３ｂから光を出射させる左側用導光板９３を備え、スロットマシン右側方から遊技者の着座する中央（左方）に向けた光を出射することができるようになっている。
【００６２】
また、サイドランプユニット９は、右方向に向けて光を出射させるための光源として、右側用ＬＥＤ基板９６に実装されたＬＥＤ９６２を備えている。
このＬＥＤ９６２は、スロットマシン前方に向けて光を出射する。
ＬＥＤ９６２の発光面は、図２３に示すように、右側用導光板９７の後端面９７ｃと対向しており、ＬＥＤ９６２からの光は、この後端面９７ｃに入射される。
【００６３】
後端面９７ｃから入射した光は、右側用導光板９７内を伝播し、一部が前端面９７ｄから出射し、残りが左側面９７ａ，右側面９７ｂから出射する。
右側面９７ｂから出射する光は、そのまま絵柄シート９８と右側用透光性部材９９を透過し、スロットマシン右方に向けて出射される。
一方、左側面９７ａから出射する光は、一旦、反射部材９４の右側面９４ｂに反射し、右側用導光板９７、絵柄シート９８及び右側用透光性部材９９を透過してから、スロットマシン右方に向けて出射される。
また、前端面９７ｄから出射した光は、フレーム部材１００を透過してメッキ処理の施された反射部材９４により反射して右側用導光板９７内に再び入射されるものの、いずれは左側面９７ａ，右側面９７ｂから出射して、スロットマシン右方に向けて出射されることになる。
このような出射光により、絵柄シート９８に表された絵柄が発光するように見える。
【００６４】
このように、サイドランプユニット９は、スロットマシン前方側を出射方向とするＬＥＤ９６２からの光を後端面９７ｃに入射させ、後端面９７ｃと直交する板面である左側面９７ａ，右側面９７ｂから光を出射させる右側用導光板９７を備え、スロットマシン右方に向けた光を出射することができるようになっている。
これにより、サイドランプユニット９は、反射部材９４を境界として左右方向それぞれに向けて光を出射することができる。
【００６５】
以上説明したように、本実施形態のスロットマシン１は、上側扉部１１と下側扉部１２とを連結する連結部材１７，１８を備え、各連結部材１７，１８は、前扉１ａを施錠するための錠前１３とベットボタン２ａやスタートレバー３などの操作部のうち少なくともいずれか一方の周辺に形成される隙間Ｓ１，Ｓ２から機内への異物の侵入を防止する侵入防止手段を有することから、前扉１ａを分離可能としながらも、不正アクセスにより出玉を過剰に払い出させるなどの不正行為からスロットマシン１を保護することができる。
【００６６】
一方、従来のスロットマシンでは、前扉が分離可能に構成されるものの、連結部材自体が機内への異物の侵入を防止する侵入防止手段として機能するものではなく、部品の有効利用が図られなかった。
【００６７】
また、本実施形態のスロットマシン１は、センターランプユニット８がＬＥＤ８７２からの直接光によりが照射される第１領域８２１ａと、導光部材８４内を伝播して出射面８４２ａからの出射光により照射される第２領域８２１ｂと、を有し、導光部材８４を用いることにより、スピーカ１４の設置スペースが確保される。
これにより、スロットマシン前面において、音の出力範囲を確保しながら、光による演出範囲を広げることができ、迫力のある光の演出を行うことができる。また、センターランプユニット８全体の奥行を薄く形成することができる。
また、導光部材８４を用いることにより、スピーカ１４のみならず他の部品の設置スペースも確保されることから、スロットマシン設計時の自由度を向上させることができる。
【００６８】
一方、従来のスロットマシンでは、音の出力範囲と光による演出範囲とを完全に分離させていた。そのためそれぞれの設置スペースを確保しなければならないため、例えば、光による演出範囲が狭くなり、迫力のある光の演出を行うことができなかった。また、音の出力範囲の前方に光による演出範囲を重ねることもできるが、その分奥行が増すことから省スペース化を図ることができなかった。
【００６９】
本実施形態のスロットマシン１によれば、従来の遊技機が改善すべきこのような課題の全部又は一部などを解決することができる。
【００７０】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００７１】
例えば、本実施形態の前扉１ａは、上側扉部１１と下側扉部１２に分離可能であるものの、連結部材１７，１８によって一体をなす一つの扉体として構成したが、連結部材１７，１８により選択的に連結可能（ラッチ機構の搭載など）とするとともに、上側扉部１１と下側扉部１２をそれぞれ独立して開閉可能な扉体として構成することもできる。
【００７２】
また、センターランプユニット８において、導光部材８４の出射部８４２や、出射範囲区画部材８５の設置部８５３に、スピーカ１４からの音が通過可能な孔を穿設することもできる。
また、１列目のブロックＢ１１〜Ｂ４１にはそれぞれ独立して点灯制御可能なＬＥＤ８７２（フルカラーＬＥＤ）が配置されていることから、各ブロックの発光色を変えることもできる。
【００７３】
また、本実施形態では、本発明をスロットマシンに適用したがパチンコ（例えば、玉スロ）などその他の遊技機に適用することもできる。
また、メダル、遊技球等の現物の遊技媒体を用いることなく、データ形式の擬似遊技媒体を用いてゲームを実行可能な、いわゆる封入式遊技機にも、本発明を適用することができる。
【００７４】
また、以上説明した内容から以下のような特徴を有する遊技機の発明を抽出することもできる。
【００７５】
（１）遊技機前面側を開閉可能に覆うとともに、上側扉部と下側扉部とに分離可能な前扉を備える遊技機において、前記上側扉部と前記下側扉部とを連結する連結部材を備え、前記連結部材は、前扉を施錠するための錠前と所定の操作部のうち少なくともいずれか一方の周辺に形成される隙間から機内への異物の侵入を防止する侵入防止手段を有することを特徴とする遊技機。
【００７６】
（２）前記上側扉部は、当該遊技機の属する機種のみに設けられる専用部材を備え、前記下側扉部は、複数の機種に共通して設けられる所定の操作部を備えることを特徴とする（１）記載の遊技機。
【００７７】
（３）前扉の左右方向端部に配置され、前記上側扉部と前記下側扉部のうち一方の扉部から他方の扉部に向けて延設される支柱部を備え、前記連結部材は、右側支柱部において前記上側扉部と前記下側扉部とを連結する右側連結部材と、左側支柱部において前記上側扉部と前記下側扉部とを連結する左側連結部材と、を有することを特徴とする（１）又は（２）記載の遊技機。
【００７８】
（４）所定の受け皿を前扉に固定するための固定手段として鈎状に形成されるとともに前扉の裏面側に係止される爪部と、前記爪部を前扉の裏面側から覆うカバー部材と、を備え、前記カバー部材は、所定の開口部を有するとともに、前記爪部を操作不能に遮蔽する第１位置と、前記開口部を介して前記爪部を外部に臨ませる第２位置の一方から他方にスライド移動可能としたことを特徴とする（１）〜（３）のいずれかに記載の遊技機。
【符号の説明】
【００７９】
１  スロットマシン
１ａ  前扉
２  メダル投入口（操作部）
２ａ  ベットボタン（操作部）
３  スタートレバー（操作部）
５  停止ボタン（操作部）
８  センターランプユニット
８２  後方被照射部材（被照射部）
８２１ａ  第１領域
８２１ｂ  第２領域
８３  光誘導部材（光誘導手段）
８４  導光部材
８５  出射範囲区画部材
８７  ＬＥＤ基板
８７２  ＬＥＤ（発光手段）
８７２ａ，８７２ｂ  ＬＥＤ（第１領域用発光手段）
８７２ｃ  ＬＥＤ（第２領域用発光手段）
９  サイドランプユニット（照明ユニット）
９２  左側ＬＥＤ基板
９２２  ＬＥＤ（発光手段）
９３  左側導光板
９３ａ  左側面
９３ｂ  右側面
９３ｃ  後端面
１１  上側扉部
１１１  支柱部
１２  下側扉部
１３  錠前
１４  スピーカ（音出力手段）
１５  受け皿
１５２  爪部
１７  右側連結部材
１８  左側連結部材
１９  カバー部材
Ｂ  ブロック
Ｓ１，Ｓ２  隙間
【図１】
0006732332.tif 000002
【図２】
0006732332.tif 000003
【図３】
0006732332.tif 000004
【図４】
0006732332.tif 000005
【図５】
0006732332.tif 000006
【図６】
0006732332.tif 000007
【図７】
0006732332.tif 000008
【図８】
0006732332.tif 000009
【図９】
0006732332.tif 000010
【図１０】
0006732332.tif 000011
【図１１】
0006732332.tif 000012
【図１２】
0006732332.tif 000013
【図１３】
0006732332.tif 000014
【図１４】
0006732332.tif 000015
【図１５】
0006732332.tif 000016
【図１６】
0006732332.tif 000017
【図１７】
0006732332.tif 000018
【図１８】
0006732332.tif 000019
【図１９】
0006732332.tif 000020
【図２０】
0006732332.tif 000021
【図２１】
0006732332.tif 000022
【図２２】
0006732332.tif 000023
【図２３】
0006732332.tif 000024